(57)【要約】【課題】監視システムを用いて監視カメラを自動操作させるための設定を可能にし、侵入者による異常発生時に侵入者を自動的に正確に撮影する。【解決手段】  自動監視システムを形成するボタン電話装置と監視用カメラとはネットワークを介して接続する。自動監視システム設定装置はボタン電話装置と監視カメラにネットワークを介して接続する。監視用カメラの向きは、監視環境のボタン電話機のそれぞれの位置に対応したプリセット情報として監視用カメラに登録する。ボタン電話装置の主装置には、プリセット情報のそれぞれと対応するボタン電話機の内線番号等を対応付けた情報をテーブルとして記録する。ボタン電話装置には人を検知する人体センサを設け、主装置は人体センサが監視環境に人が存在することを検知したときに、検知したセンサ方向を備えたボタン電話機のプリセット情報を監視カメラに送る。【選択図】図８
2006245697.tif 000002
【特許請求の範囲】
【請求項１】
センサの異常を検知する検知手段と、
監視用カメラの撮影方向の変更を指示する手段と
を備えた自動監視システムを設定する監視システム設定装置において、
前記検知手段を特定する特定情報設定手段と、
前記監視用カメラの撮影方向と前記特定情報設定手段が特定した前記検知手段とを関連付けて設定する方向設定手段と
を備えたことを特徴とする自動監視システム設定装置。
【請求項２】
請求項１に記載の監視システム設定装置において、
前記方向設定手段は、前記関連付けにおいて、前記検知手段が人を検知して検知信号を発するとき、前記監視用カメラの撮影方向を前記検知した前記検知手段の方向に向けるように設定する
ことを特徴とする自動監視システム設定装置。
【請求項３】
コンピュータに、
センサの異常を検知する検知手段を特定する特定手順と、
監視用カメラの撮影方向と前記特定情報設定手段が特定した前記検知手段とを関連付けて設定する関連付け手順と
を実行させることを特徴とするプログラム。
【請求項４】
請求項３に記載のプログラムにおいて、
前記関連付け手順において、前記検知手段が人を検知して検知信号を発するとき、前記監視用カメラの撮影方向を前記検知した前記検知手段の方向に向けるように設定する
ことを特徴とするプログラム。
【請求項５】
センサの異常を検知する検知手段と、
監視用カメラの撮影方向の変更を指示する手段と
前記検知手段を特定する情報を格納する特定情報格納手段と、
前記監視用カメラの撮影方向と前記特定情報設定手段が特定した前記検知手段とを関連付けて制御する方向制御手段と
を備えたことを特徴とするボタン電話装置。
【請求項６】
請求項５に記載のボタン電話装置において、
前記方向制御手段は、前記関連付けにおいて、前記検知手段が人を検知して検知信号を発するとき、前記監視用カメラの撮影方向を前記検知手段の方向に向けるように制御する
ことを特徴とするボタン電話装置。
【発明の詳細な説明】
【技術分野】
【０００１】
本発明は、監視用カメラを用いた監視システムの設定装置に関する。
【背景技術】
【０００２】
オフィスなどにおいては、盗難や機密情報の漏洩を防止するため、平日の夜間や休日のように社員が不在となる時間に室内を監視する必要がある。従来、室内に監視用カメラと異常検知用のセンサとを設け、センサの検知情報を電話回線を介して屋外の管理者に送信し、センサが異常を検知したとき、管理者が無線通信端末などを用いて電話回線を介して監視用カメラを遠隔操作して監視用カメラの撮影方向を変え、室内の所望の場所を撮影する監視システムが提案されている（たとえば、特許文献１参照。）。
しかし、上記特許文献１に記載された発明においては、監視用カメラの撮影方向などは管理者が手動で操作するため、管理者の作業が煩雑になる。
また、上記特許文献１に記載された発明においては、管理者が手動で監視用カメラを操作する。このため、センサが異常を検知してからカメラの向きが変わるまでに時間がかかり、発生した異常が侵入者による場合、カメラの向きが変わるまでに侵入者が移動してしまうと侵入者を撮影し損じてしまったり、侵入者がカメラの被写界から一旦外れてしまうと侵入者が部屋のどこにいるのかを把握できなくなったりして、侵入者を撮影するのが難しくなる問題がある。
また、上記特許文献１に記載された発明は、手動操作のための設定しかできず、監視システムによって監視用カメラを自動操作することや、自動操作を行うための各種設定を行うことはできなかった。
【特許文献１】特開平０８−０６５７５７号公報
【発明の開示】
【発明が解決しようとする課題】
【０００３】
本発明は、上記の問題を解決するためになされたものであり、その目的は、監視用カメラを用いた監視システムにおいて、侵入者による異常発生時に侵入者を自動的に、迅速かつ正確に撮影することを可能にし、また、監視システムに監視カメラを自動操作させるための設定を可能にすることである。
【課題を解決するための手段】
【０００４】
請求項１に記載の発明は、センサの異常を検知する検知手段と、監視用カメラの撮影方向の変更を指示する手段とを備えた自動監視システムを設定する監視システム設定装置において、前記検知手段を特定する特定情報設定手段と、前記監視用カメラの撮影方向と前記特定情報設定手段が特定した前記検知手段とを関連付けて設定する方向設定手段とを備えたことを特徴とする自動監視システム設定装置である。
請求項２に記載の発明は、請求項１に記載の監視システム設定装置において、前記方向設定手段は、前記関連付けにおいて、前記検知手段が人を検知して検知信号を発するとき、前記監視用カメラの撮影方向を前記検知した前記検知手段の方向に向けるように設定することを特徴とする自動監視システム設定装置である。
請求項３に記載の発明は、コンピュータに、センサの異常を検知する検知手段を特定する特定手順と、監視用カメラの撮影方向と前記特定情報設定手段が特定した前記検知手段とを関連付けて設定する関連付け手順とを実行させることを特徴とするプログラムである。
請求項４に記載の発明は、請求項３に記載のプログラムにおいて、前記関連付け手順において、前記検知手段が人を検知して検知信号を発するとき、前記監視用カメラの撮影方向を前記検知した前記検知手段の方向に向けるように設定することを特徴とするプログラムである。
請求項５に記載の発明は、センサの異常を検知する検知手段と、監視用カメラの撮影方向の変更を指示する手段と前記検知手段を特定する情報を格納する特定情報格納手段と、前記監視用カメラの撮影方向と前記特定情報設定手段が特定した前記検知手段とを関連付けて制御する方向制御手段とを備えたことを特徴とするボタン電話装置である。
請求項６に記載の発明は、請求項５に記載のボタン電話装置において、前記方向制御手段は、前記関連付けにおいて、前記検知手段が人を検知して検知信号を発するとき、前記監視用カメラの撮影方向を前記検知手段の方向に向けるように制御することを特徴とするボタン電話装置である。
【発明の効果】
【０００５】
本発明によれば、監視用カメラを用いた監視システムにおいて、侵入者による異常発生時に侵入者を自動的に、迅速かつ正確に撮影することが可能になる、また、監視システムを用いて監視カメラを自動操作するための設定が可能になる。
【発明を実施するための最良の形態】
【０００６】
以下、本発明の実施の形態について図面を参照して説明する。
図１は自動監視システムの構成を示すブロック図である。この自動監視システムは、本発明の実施形態における自動監視システム設定装置によって設定される。
図１に示すとおり、自動監視システム１Aは、本実施形態の自動監視システム設定装置を備えたパーソナルコンピュータ（以下単に「自動監視システム設定装置」と称する。）3と、主装置１及びそれに収容されたＮ個（Ｎ≧２）のボタン電話機2-1〜2-N（ただし、本実施形態においてはＮ＝８とする。）からなるボタン電話装置と、監視用のカメラ（以下、「監視用カメラ」と称する。）４と、サーバ５とを備えている。この主装置１、ボタン電話装置2-1〜2-8、自動監視システム設定装置３は、ボタン電話システムを形成している。
主装置１は、１本以上の電話回線８に接続されており、内線伝送路６によりボタン電話機2-1〜2-8に接続されている。また、自動監視システム設定装置３及び監視用カメラ４は、無線又は有線のＬＡＮ等の通信ネットワーク７により主装置１に接続されている。
主装置１、自動監視システム設定装置３及び監視用カメラ４及びサーバ５は、それぞれ一意のネットワーク上のアドレス（ＩＰアドレス）や一意の物理アドレス（ＭＡＣアドレス）などの情報を記憶部に格納しており、このアドレス情報をもとに通信ネットワーク７を介して互いにデータ通信を行う。
【０００７】
ボタン電話機2-1〜2-8は例えばオフィスの机の上に配置されており、自動監視システム設定装置3およびサーバ５は各ボタン電話機2-1〜2-8の近くに配置されている。また、監視用カメラ４は、ボタン電話機2-1〜2-8及び自動監視システム設定装置３及びサーバ５が配置された場所を撮影可能な位置に設置されており、パン及びチルトさせて撮影範囲を変化させることにより、ボタン電話機2-1〜2-8及び自動監視システム設定装置3が配置された全ての場所を撮影することができる。
【０００８】
主装置１は、電話回線８及びボタン電話機2-1〜2-8の状態を管理し、この主装置１全体の制御等を行う制御部11と、電話回線８を終端制御する外線インターフェース部12と、内線伝送路６を介してボタン電話機2-1〜2-8を収容する内線インターフェース部13と、外線インターフェース部12と内線インターフェース部13とを交換接続する交換処理部14と、通信ネットワーク７を介したデータ通信のための処理を行う通信インターフェース部15と、制御部11での制御に必要な各種制御情報、外線情報、内線情報等や、ボタン電話機2-1〜2-8の動作履歴としてのログ情報（以下、単に「ログ情報」と称する。）を記憶する記憶部16とを備えている。
主装置１の制御部11は、記憶部16に記憶されたプログラムに基づいて、ボタン電話機2-1〜2-8の動作モードを通話モード（通常の通話を行わせる動作モード）と監視モード（侵入者を検知する動作モード）との相互間で切替える機能を実現する。動作モードの切り替えは、予め設定された、ボタン電話機2-1〜2-8の所定のグループ（たとえば同一の部屋内に設けられたボタン電話機2-1〜2-8や、同一の建物内に設けられたボタン電話機2-1〜2-8などの単位）ごとに行われる。
【０００９】
図２、図３及び図４は、それぞれ図１に示すボタン電話機2-1〜2-8、自動監視システム設定装置3、監視用カメラ４、及びサーバ５の構成を示すブロック図である。図１において、ボタン電話機2-1〜2-8は同じ構成を持つので、以下、区別する必要がある場合を除き、ボタン電話機２とする。
【００１０】
図２に示すように、ボタン電話機２は、このボタン電話機２全体の制御等を行う制御部21と、それぞれが制御部21に接続された内線インターフェース部22、音声処理部23、LCD表示部24、LED光源部25、操作部26、記憶部27、及び人体センサ28を備えている。内線インターフェース部22は、内線伝送路５を介して主装置１と通信を行い、音声処理部23は、呼出音や各種報知音の発生など音声出力を行う。LCD表示部24は、制御部21から送られてくる各種情報を表示する。LED光源部25は、テンキーなどボタン電話機２の表面に設けられた部材に内蔵され、電流が供給されたときに発光する。操作部26は、ダイヤルキー、外線キー、フックスイッチ等の各種キーを備え、操作者がこれらのキーを用いて入力した情報を制御部21へ送る。記憶部27は、制御部21が各種処理を実行するときに使用するプログラム等が予め格納されているＲＯＭ、制御部21が各種処理を実行するときに各種データ等を一時的に記憶するＲＡＭ、ボタン電話機２のログ情報や後述する電話機位置情報等を記憶するＥＥＰＲＯＭ等からなる。人体センサ28は昇電センサ（赤外線センサ）からなり、人体の発生する熱を検出することで、ボタン電話機２の近くにいる人を検知する。なお、人体センサ28を備えていないボタン電話機も存在し、本実施形態においては、一の監視環境中のボタン電話機2-1〜2-8において、人体センサ28を備えているボタン電話機(2-1、2-3、2-5、2-7)と人体センサ28を備えていないボタン電話機(2-2、2-4、2-6、2-8)とが存在する。
ボタン電話機2は、主装置１のモード切替部17の制御によって、通話モードと監視モードとのいずれかにおいて動作する。
【００１１】
図３に示すように、自動監視システム設定装置３は、この自動監視システム設定装置３全体の制御等を行う制御部（ＣＰＵ）31と、それぞれが制御部31に接続された記憶部32、操作部33、表示部34及び通信インターフェース部35から構成されている。記憶部32は、制御部31が各種処理を実行するときに使用するプログラムやデータが予め格納されているＲＯＭ、制御部31が各種処理を実行するときに各種データ等を一時的に記憶するために使用されるＲＡＭ、画像データ等を記憶するハードディスク等から構成されている。操作部33は、マウス、キーボード等であり、自動監視システム設定装置３に対して各種指示を入力するために用いられる。表示部34はＬＣＤ等からなり、操作部33から入力された各種指示、監視用カメラ４で撮影された画像データ等が表示される。通信インターフェース部35は、主装置１、監視用カメラ４、およびサーバ５との間で通信ネットワーク７を介するデータ通信を行うために必要な処理を行う。
【００１２】
監視用カメラ４はＷＥＢカメラであり、通信ネットワーク７を介して制御情報や画像データを交信し、ＬＡＮやＷＡＮを介した遠隔操作によって撮影方向や倍率などが制御される。
図４に示すように、監視用カメラ４は、レンズ41と、レンズ41により集束される光を画像信号に変換する撮像部42と、撮像部42で生成される画像信号に対して所定の信号処理（ゲイン制御、Ａ／Ｄ変換、データ圧縮等）を施すカメラ信号処理部43と、この監視用カメラ４全体の制御等を行う制御部44と、制御部44に接続された記憶部45及び通信インターフェース部46と、制御部44の制御により図示されていないカメラ駆動機構を駆動制御して、監視用カメラ４をパン及びチルトさせるパン・チルト制御部47とを備えている。
【００１３】
記憶部45は、制御部44が各種処理を実行するときに使用するプログラムやデータが予め格納されているＲＯＭ、制御部44が各種処理を実行するときに各種データ等を一時的に記憶するために使用されるＲＡＭ、後述する撮影位置識別情報を生成するためのデータ等が格納されるＥＥＰＲＯＭ等から構成されている。通信インターフェース部46は、カメラ信号処理部43及び制御装置44との間で通信ネットワーク７を介するデータ通信を行うために必要な処理を行う。
【００１４】
図５に示すように、サーバ５は、サーバ５全体の制御等を行う制御部（ＣＰＵ）51と、それぞれが制御部51に接続された記憶部52及び通信インターフェース部53から構成されている。記憶部52は、制御部51が各種処理を実行するときに使用するプログラムやデータが予め格納されているＲＯＭ、制御部51が各種処理を実行するときに各種データ等を一時的に記憶するために使用されるＲＡＭ、画像データ等を記憶するハードディスク等から構成されている。ハードディスクは数時間〜数日分の画像データを記憶するために十分な容量を有する。通信インターフェース部53は、自動監視システム設定装置３、監視用カメラ４との間で通信ネットワーク７を介するデータ通信を行うために必要な処理を行う。
【００１５】
監視用カメラ４の記憶部45（ＥＥＰＲＯＭ）には、監視用カメラ４のパン角度及びチルト角度の可変範囲情報が記憶されるとともに、監視用カメラ４の所定の撮影方向を、プリセット情報として記憶する。プリセット情報は、監視用カメラ４の記憶部45にプリセットテーブルとして記録される。制御部44は、プリセットテーブルに基づいて、監視用カメラ44の撮影方向を制御する。
【００１６】
図６にプリセットテーブルの模式を示す。
プリセットテーブルは、プリセット番号情報と、パン角情報と、チルト角情報とからなる。パン角情報、とチルト角情報は、監視用カメラ４のレンズの光軸方向の角度情報であり、一のパン角と一のチルト角とを一のプリセット情報の単位として記録する。なお、図６では、プリセット情報を４つとしたが、これと異なる値でもよいことは言うまでもない。
【００１７】
このプリセットテーブルは以下の手順によって作成される。
まず、自動監視システム設定装置３と監視用カメラ４とを通信ネットワーク７を介して接続し、自動監視システム設定装置３の表示部34に、監視用カメラ４の撮影した画像が表示されるように設定する。
設定画面において画像が表示されたら、監視環境下に存在する、人体センサ28を備えたボタン電話機2-1、2-3、2-5、2-7のうち一のボタン電話機（たとえばボタン電話機2-1）の近傍（侵入者が現出しそうな場所）が画面に写るように、カメラ４のパン・チルト制御部47を調整する。この画像のほぼ中央にボタン電話機2-1が存在する場合には、この方向をプリセットポジションとして登録する。撮影画像表示用ブラウザ中にボタン電話機2-1が存在しない場合には、別の撮影情報識別情報を入力して監視用カメラ４の向きを変え、画像中にボタン電話機2-1があらわれるまで方向の変更を繰り返し、あらわれた方向をプリセットポジションとして登録する。
【００１８】
上記の作業を、人体センサ28を備えたボタン電話機2-1、2-3、2-5、2-7について行うと、図６に示すようなプリセットテーブルが完成する。図６においては、一の監視用カメラ４に設定されるプリセットポジションが４つ存在することを示している。プリセットテーブルは、監視カメラ４が複数台ある場合には、各監視カメラ４ごとに設定される。プリセットテーブルは、監視カメラ４の記憶部45に記憶される。
【００１９】
主装置１の記憶部には、人体センサ28を備えたボタン電話機2-1、2-3、2-5、2-7と、前述のプリセット情報とを関連付ける対応情報テーブルが格納される。
図７に、対応情報テーブルの模式図を示す。対応情報テーブルは、内線番号情報、プリセット番号情報、ＩＰアドレス／ポート番号情報、メーカー名／機種情報とを有する。内線番号情報は、人体センサ28を備えたボタン電話機2-1、2-3、2-5、2-7の内線番号であり、プリセット番号情報は、プリセットテーブル（図６）に登録されたプリセット情報である。ＩＰアドレス／ポート番号情報は、監視用カメラ４が通信ネットワーク７上でデータ交信するためのアドレス情報およびポート番号情報であり、メーカー名／機種情報は、監視用カメラ４を制御するためのコマンド情報（図示しない別のテーブルにて所持）との関連付けを行うための情報である。
【００２０】
この対応情報テーブルは例えば以下の手順により作成する。
まず、対応情報テーブルを設定する前に、主装置１には人体センサ28を備えたボタン電話機2-1、2-3、2-5、2-7の設定情報をすべて登録しておく。
次に、自動監視システム設定装置３と主装置１とを通信ネットワーク７を介して接続し、自動監視システム設定装置３の表示部34に、主装置１の設定画面を表示させる。設定画面には、図７に示すテーブルのうち、内線番号情報のみが記載され、その他の欄は全て空欄として表示される。
【００２１】
設定画面が表示されたら、マウスやキーボード等の操作により、内線番号情報ごとに、対応するプリセット番号情報、ＩＰアドレス／ポート番号情報、メーカー名／機種情報を入力する。これにより、プリセット情報と、プリセット情報で監視用カメラ４が向く方向に存在するボタン電話機（たとえばボタン電話機2-1）とが関連付けられる。
【００２２】
上記の作業を、人体センサ28を備えたボタン電話機2-1、2-3、2-5、2-7の全てについて行うと、図７に示すような関連情報テーブルが完成する。対応情報テーブルは、監視カメラ４が複数台ある場合には、各監視カメラ４ごとに設定される。対応情報テーブルは、通信ネットワーク７を介して主装置１に送信され、記憶部16に記憶される。
【００２３】
本発明の実施形態の自動監視システム設定装置による自動監視システムの設定・登録手順、および設定・登録した自動監視システムの動作手順について、図８ないし図１０を参照しながら説明する。
【００２４】
図８のフローチャートに基づいて、本発明の実施形態における監視用カメラ４のプリセット情報の登録手順を説明する。
【００２５】
自動監視システム設定装置３が起動し、操作部33からネットワーク接続を指示する入力が行われると、制御部31は通信インターフェース部35を介して自動監視システム設定装置３を通信ネットワーク７に接続させる（ステップＳ１）。
【００２６】
自動監視システム設定装置３の操作部33から監視用カメラ４の設定用のＩＤ、パスワードが入力されると、自動監視システム設定装置３の制御部33は、通信インターフェース部35を介して監視用カメラ４にＩＤ情報とパスワード情報を送る。監視用カメラ４は通信インターフェース部46を介してＩＤ情報とパスワード情報を受領し、制御部44は、受信したＩＤ情報およびパスワード情報を記憶部45に記憶する（ステップＳ２）。
【００２７】
自動監視システム設定装置３の操作部33から監視用カメラ４のＩＰアドレスが入力されると、制御部33は、通信インターフェース部35及び監視用カメラ４の通信インターフェース部46を介してネットワーク接続情報を交換し、自動監視システム設定装置３と監視用カメラ４とのネットワーク通信が開始される（ステップＳ３）。
【００２８】
自動監視システム設定装置３の操作部33は、監視用カメラ４の制御部44と交信し、制御データを交信すると共に監視用カメラ４が撮影した画像データの供給を受ける。自動監視システム設定装置3は、監視用カメラ４にプリセット情報の設定を行う。監視用カメラ４は、プリセットテーブルを登録し、記憶部45に格納する（ステップＳ４）。
以上の手順により、監視用カメラ４にはプリセットポジションが登録され、手順が完了する（ステップＳ５）。
【００２９】
図９のフローチャートに基づいて、本発明の実施形態における主装置１と監視用カメラ４との連動設定手順を説明する。
【００３０】
自動監視システム設定装置３が起動し、操作部33からネットワーク接続を指示する入力が行われると、制御部31は通信インターフェース部35を介して自動監視システム設定装置３を通信ネットワーク７に接続させる（ステップＳ６）。
【００３１】
自動監視システム設定装置３の操作部33から主装置１のＩＰアドレスが入力されると、制御部33は、通信インターフェース部35及び主装置１の通信インターフェース部15を介して主装置１とネットワーク接続情報を交換し、自動監視システム設定装置３と主装置１とのネットワーク通信が開始される（ステップＳ７）。
【００３２】
自動監視システム設定装置３の操作部33から主装置１の設定用のＩＤ、パスワードが入力されると、自動監視システム設定装置３の制御部33は、通信インターフェース部35を介して主装置１にＩＤ情報とパスワード情報を送る。主装置１は通信インターフェース部15を介してＩＤ情報とパスワード情報を受領し、制御部17は、受信したＩＤ情報およびパスワード情報を記憶部16に記憶する（ステップＳ８）。
【００３３】
自動監視システム設定装置３の制御部31は、さらに、操作部33から主装置１のＩＰアドレスの入力を受け、主装置１の制御部33と交信を開始する。自動監視システム設定装置3の表示部34には、設定画面用ブラウザが開かれる。操作部33から、人体センサ28を備えたボタン電話機2-1、2-3、2-5、2-7の内線番号と、監視用カメラのプリセット情報と、ＩＰアドレス／ポート番号情報と、メーカー名／機種名を関連付けるための情報とがすべて入力されると、関連情報テーブル（図７）が完成する。関連情報テーブルは、主装置１に送られ、記憶部16に格納される（ステップＳ９）。
以上の手順により、主装置１の記憶部16には関連情報テーブルが格納され、登録が完了する（ステップＳ１０）。
【００３４】
図１０のシーケンス図に基づいて、本発明の実施形態における自動監視システム設定装置による自動監視システムの設定手順、および設定した自動監視システムの動作手順の一例を説明する。
【００３５】
自動監視システム設定装置３から監視用カメラ４に対しては、カメラポジションのプリセット情報が送信され、監視用カメラ４にはプリセット情報をもとにプリセットテーブルが登録される（ステップＳ１〜S５）。なお、このとき、画像データの保存先であるサーバ５のアドレス情報（宛先ＩＰアドレス情報）も併せて監視用カメラ４に登録する。
【００３６】
監視用カメラ４に対しプリセット情報等の登録が完了すると、監視用カメラ４は画像データの撮像を開始し、撮像された画像データをファイル形式でサーバ５に送信する。サーバ５は通信インターフェース53を介して画像データの供給を受け、制御部51はこの画像データを記憶部52に蓄積する（ステップＳ１１）。
【００３７】
自動監視システム設定装置３から主装置１に対しては、関連情報テーブルの作成が行われる（ステップＳ６〜Ｓ１０）。
【００３８】
ボタン電話機２の操作部25に監視モードに設定変更する指示が入力されると（ステップＳ１２）、ボタン電話機２の制御部21は内線インターフェース部22を介して主装置１に指令信号を送信する。主装置１が指令信号を受けると、モード変更部17は、指令信号の受信後所定時間が経過したのちに動作モードを通話モードから監視モードに切替える指令を出す。指令信号は主装置１からボタン電話機2-1〜2-8に供給され、ボタン電話機2-1〜2-8の動作モードが監視モードに切替えられる（ステップＳ１３）。動作モードが監視モードに切り替わると、ボタン電話機2-1〜2-8のＬＣＤ表示部24には監視モードである旨表示される。
【００３９】
監視モードになったのち、人体センサ28のついたボタン電話機2-1、2-3、2-5、2-7のいずれか（たとえばボタン電話機2-1）において、人体センサ28が侵入者を検知すると、検知信号がボタン電話機2-1から主装置１へ送られる（ステップＳ１４）。主装置１は、検知信号を送ってきたボタン電話機2-1の内線電話番号をもとに、対応するプリセット情報を特定し、特定したプリセット情報を監視用カメラ４に送信する（ステップＳ１５）。監視用カメラ４はこのプリセット情報を受けると、記憶部45に記憶されたプリセットテーブルを参照して監視用カメラ４の撮影方向を変え、侵入者情報を検知したボタン電話機2-1の方向を撮影する。
【００４０】
主装置１はすべてのボタン電話機2-1〜2-8に威嚇動作を行わせる指示を出す（ステップＳ１６）。ボタン電話機2-1〜2-8は指示に基づいて、音声処理部23から最大音量で警告音を発し、ＬＥＤ光源25を点滅させる。威嚇動作が開始してから所定時間が経過すると、ボタン電話機2-1〜2-8は威嚇動作を停止する（ステップＳ１７）。ボタン電話機2-1〜2-8および主装置１の動作のログ情報は主装置１の記憶部16に記録される。
【００４１】
主装置１のログ情報は、自動監視システム設定装置３の操作部33またはボタン電話機２の操作部25から主装置１にログ情報取得の指示を送ることにより（ステップＳ１８、Ｓ２０）、主装置１から自動監視システム設定装置３またはボタン電話機２に送られ（ステップＳ１９，Ｓ２１）、自動監視システム設定装置３の表示部34またはボタン電話機２のLCD表示部24に表示される。自動監視システム設定装置３の操作部33から画像データ転送要求の指示が入力されると（ステップＳ２２）、自動監視システム設定装置３からサーバ５に対して画像データの転送を要求する信号が送信され（ステップＳ２３）、サーバ５は指示に基づいて自動監視システム設定装置３に画像データが送信する。画像データは自動監視システム設定装置３の表示部34に表示され、利用者はこの画像データを再生し、侵入者の画像を確認できる。
【００４２】
以上、本実施形態においては、ボタン電話装置の主装置１に、監視用カメラ４のプリセット情報と監視用カメラ４の向いた方向に存在する人体センサ28のついたボタン電話機2-1,2-3,2-5,2-7とを関連付ける関連情報テーブルを設定することにより、ボタン電話装置に設けられた監視システムを用いて監視カメラを自動操作するための設定を行うことが可能になる。
【００４３】
本実施形態においては、監視用カメラ４に監視用カメラが向く方向をプリセットテーブルとして登録することにより、主装置１の制御によって監視用カメラ４をプリセットポジションの方向に向かせることが可能になる。
【００４４】
本実施形態においては、主装置１の制御により、ボタン電話機２に設けられた人体センサ28が人を検知したときに監視用カメラ４を検知したボタン電話機２の方向に向かせる制御を行うことにより、監視中に侵入者が侵入した際に侵入者を正確に撮影することができる。また、同一グループ内の複数のボタン電話機2-1,2-3,2-5,2-7に人体センサ28を設けることにより、侵入者が移動しても監視用カメラ４の向きを侵入者の移動方向に変えながら撮影することが可能になる。
【００４５】
本実施形態においては、監視用カメラ４の撮影方向を人体センサ28を設けたボタン電話機2-1,2-3,2-5,2-7の設置された方向に対応付けてプリセット情報として登録することにより、侵入者による異常発生時における監視用カメラ４の撮影方向の制御を簡易かつ正確に行うことが可能になる。
【００４６】
本実施形態においては、監視中の自動監視システムの動作をログ情報として時系列的に保管する設定とすることにより、異常発生状況を事後的に容易に確認することが可能になる。
【００４７】
本実施形態においては、監視用カメラ４が撮影した画像データをサーバ５に記録する設定とすることにより、長時間にわたる監視中の画像データを保管し、事後的に容易に出力・再生して確認することが可能になる。
【００４８】
本実施形態においては、監視用カメラ４の撮影および画像データのサーバ５への転送は監視用カメラ４の登録が完了したのちすぐに開始するものとしたが（図10のステップＳ１１）、自動監視システム１Ａが監視モードに入ってから（図10のステップＳ１３）撮影と画像データ転送を開始するものとしてもよい。このような構成とすることにより、サーバ５に蓄積されるデータを監視中のものだけとすることができ、メモリの節約を図ることが可能になる。
【００４９】
本実施形態においては、監視用カメラ４はズームを設けない構成としたが、監視用カメラ４にズームを設け、プリセットテーブル中にズーム倍率情報を設け、より鮮明な画像を得るようにすることも可能である。
【００５０】
本実施形態においては、ボタン電話機２は8台(2-1〜2-8)とし、うち4台を人体センサ28のついたボタン電話機2-1,2-3,2-5,2-7としたが、いずれの台数も本実施形態より多くても少なくてもよいことはいうまでもない。
【００５１】
本実施形態においては、ＰＣ３を自動監視システム設定装置３とし、監視用カメラ４にプリセットテーブルを登録するためのプログラムや、主装置１に関連情報テーブルを設定するためのプログラムはＰＣ３の記憶部32に記録する構成としたが、これに限定されず、監視用カメラ４にプリセットテーブルを登録するためのプログラムや、主装置１の記憶部16に関連情報テーブルを設定するためのプログラムを記録する構成としてもよい。この場合は、主装置１が本発明の自動監視システム設定装置を形成し、登録・設定時の画面表示や操作はＰＣ３の表示部34および操作部33を用いて行う。
【図面の簡単な説明】
【００５２】
【図１】本発明の実施形態における自動監視システムの構成を示すブロック図である。
【図２】本発明の実施形態におけるボタン電話機の構成を示すブロック図である。
【図３】本発明の実施形態における自動監視システム設定装置の構成を示すブロック図である。
【図４】本発明の実施形態における監視用カメラの構成を示すブロック図である。
【図５】本発明の実施形態におけるサーバの構成を示すブロック図である。
【図６】本発明の実施形態における監視用カメラに記憶されるプリセットテーブルを示す図である。
【図７】本発明の実施形態における関連情報テーブルを示す図である。
【図８】本発明の実施形態におけるプリセットテーブルの登録手順を示すフローチャートである。
【図９】本発明の実施形態における関連情報テーブルの設定手順を示すフローチャートである。
【図１０】本発明の実施形態の自動監視システム設定装置による自動監視システムの設定・登録手順、および設定した自動監視システムの動作手順の一例を示すシーケンス図である。
【符号の説明】
【００５３】
１A・・・自動監視システム、１・・・主装置、2-1〜2-8・・・ボタン電話機、３・・・ＰＣ（自動監視システム設定装置）、４・・・カメラ、５・・・サーバ、28・・・人体センサ
【図１】
2006245697.tif 000003
【図２】
2006245697.tif 000004
【図３】
2006245697.tif 000005
【図４】
2006245697.tif 000006
【図５】
2006245697.tif 000007
【図６】
2006245697.tif 000008
【図７】
2006245697.tif 000009
【図８】
2006245697.tif 000010
【図９】
2006245697.tif 000011
【図１０】
2006245697.tif 000012